(57)【特許請求の範囲】
【請求項１】
表示画面とタッチパネルとを一体に構成した入力・表示部と、前記入力・表示部を傾動可能に保持するフロントカバーと両側板と前記フロントカバーおよび前記両側板を保持する底部とを有する端末装置であって、
前記底部の周囲には前記フロントカバーを弾性的に挟み込む外側リムと内側リムとを設け、
前記フロントカバーの下部にはボスを設け、前記ボスはこじ開け穴を上部に接して設けたものであり、
前記ボスと嵌合する嵌合穴を前記内側リムに設け、
前記ボスと前記嵌合穴とが係合して前記フロントカバーと前記底部とを固定し、
前記こじ開け穴に相対する前記内側リムの一部を外から押すことにより前記係合が解除するものである端末装置。
【発明の詳細な説明】
【０００１】
【発明の属する技術分野】
本発明は、入力部、表示部、印字部、補助記憶部、ＣＰＵ、電源部等を備えた端末装置に関する。
【０００２】
【従来の技術】
従来、この種の端末装置は、図２９に示すように、装置本体１００の前面にキーボード操作部１０１および液晶表示部１０２を備え、側面にはＦＤ（フロッピーディスク）挿入口１０３が形成され、上面には印字用紙排出口１０４が形成されている。装置本体１００内部には、ＣＰＵが組み込まれた主回路ユニット１０５、電源ユニット１０６、ＦＤＤ（フロッピーディスク駆動装置）などの補助記憶ユニット１０７、印字ユニット１０８などが配置されている。また、装置本体１００内部には、トレイ１０９の上に折り畳まれた印字用紙１１０が収容されており、印字を行う場合は、印字用紙１１０が印字プラテン１１１上に繰り出されて、印字ヘッド１１２によりインクリボン１１３を介して印字が行われ、印字が終了すると、上部の排出口１０４から排出される。さらに、キーボード操作部１０１の側方には、ペン型スキャナー１２１が、ホルダー穴１２２の中に差し込まれて保持されている。
【０００３】
【発明が解決しようとする課題】
しかしながら、上記従来の端末装置では、タッチパネルが付いておらず、操作性が悪いという問題があった。また、組み立てをねじ等を利用して行うため、組立や分解に手間が掛かるという問題があった。さらに、全ての機能を一つの装置本体内にまとめているため、装置本体の奥行きが長く、設置場所を多く取るという問題があった。
【０００４】
本発明は、このような従来の問題を解決するものであり、操作性がよく、組立分解性およびメンテナンス性がよく、奥行寸法を短くして設置面積の小さい端末装置を提供することを目的とする。
【０００５】
上記問題を解決するために本願端末装置は、表示画面とタッチパネルとを一体に構成した入力・表示部と、前記入力・表示部を傾動可能に保持するフロントカバーと両側板と前記フロントカバーおよび前記両側板を保持する底部とを有する端末装置であって、前記底部の周囲には前記フロントカバーを弾性的に挟み込む外側リムと内側リムとを設け、前記フロントカバーの下部にはボスを設け、前記ボスはこじ開け穴を上部に接して設けたものであり、前記ボスと嵌合する嵌合穴を前記内側リムに設け、前記ボスと前記嵌合穴とが係合して前記フロントカバーと前記底部とを固定し、前記こじ開け穴に相対する前記内側リムの一部を外から押すことにより前記係合が解除するものとした。この構成により、フロントカバーに重量があっても容易に組み立てができ、また、フロントカバーの取り外しによるメンテナンスの作業性を向上できることとなる。
【００２９】
【発明の実施の形態】
以下、本発明の実施の形態を図面を参照して説明する。なお、以下に示す実施の形態では、発送に関するバーコード情報をペン型スキャナーで読み取り、発送明細書を印字して自動的に作成する端末装置を例にしているが、他の端末装置にも適用できることは勿論である。
【００３０】
（実施の形態１）
図１は本発明の実施の形態１における端末装置の概略側面図である。図１において、装置本体の筐体１の前面には、フロントカバー２が設けられており、その上部は、フロントカバー２の面位置Ｐから斜めに距離Ｄだけセットバック部３が設けられている。また、フロントカバー２の前面には、ヒンジ４を介して、タッチパネル付き液晶表示部（以下、単に液晶表示部という。）５が、傾動可能に設けられている。さらに、筐体１の内部には、下部から上方へ、ＣＰＵやメモリ等を実装した主回路ユニット６、ＦＤＤやＨＤＤなどの補助記憶ユニット７、電源ユニット８、印字用紙用のトレイ９、ミシン目のついた折り畳まれた印字用紙１０、印字ユニット１１等が配置されている。
【００３１】
従来の端末装置は、装置本体の筐体前面は平面であるが、本実施の形態１における筐体１およびフロントカバー２は、その上部が、フロントカバー２の面位置Ｐから斜めにセットバック部３が設けられているので、フロントカバー２にヒンジ４を介して設けられた液晶表示部５は、従来の傾動角θ1よりも大きい傾動角θ2まで傾けることができ、操作者の体格や設置環境に応じた適切な角度で液晶表示部５を視認することができる。
【００３２】
（実施の形態２）
図２は本発明の実施の形態２における端末装置の概略側面図であり、実施の形態１と異なるのは、セットバック部３が曲面で構成されていることだけである。このように、セットバック部３を曲面で構成することにより、実施の形態１の効果に加えて、外観の印象が柔らかくなり、デザイン的に優れたものになる。
【００３３】
（実施の形態３）
図３は本発明の実施の形態３における端末装置の概略側面図であり、実施の形態１とは、筐体１およびフロントカバー２の上部セットバック部３ａは同じであるが、本実施の形態３では、それらの両側面にも側面セットバック部３ｂが形成されていることが異なる。このように、筐体１およびフロントカバー２の両側面にも側面セットバック部３ｂを設けることにより、液晶表示部５の垂直方向の傾動角θVが大きくなるとともに、水平方向の傾動角θHも大きくすることができる。
【００３４】
（実施の形態４）
図４は本発明の実施の形態４における端末装置の概略側面図であり、実施の形態３と異なるのは、各セットバック部３ａ、３ｂが曲面で構成されていることだけである。このように、本実施の形態４では、各セットバック部３ａ、３ｂが曲面で構成されているため、実施の形態３の効果に加えて、外観の印象が柔らかくなり、デザイン的に優れたものになる。
【００３５】
（実施の形態５）
図５は本発明の実施の形態５における端末装置の概略側面図であり、上記各実施の形態において、液晶表示部５をヒンジ４を介して保持したフロントカバー２が、装置本体の筐体１に対して着脱可能に取り付けられている。このように構成することにより、フロントカバー２を筐体１から取り外した図５（ａ）の状態では、筐体１の前面が開放されて内部が露出されるので、メンテナンスを容易に行うことができる。
【００３６】
（実施の形態６）
図６は本発明の実施の形態６における端末装置の概略側面図であり、上記各実施の形態において、液晶表示部５をヒンジ４を介してフロントカバー２および筐体１に対して取り付ける支持部材１５が、フロントカバー２および筐体１に対して前後方向に移動可能に取り付けられている。このように構成することにより、支持部材１５を前方に引き延ばした図６（ｂ）の状態では、液晶表示部５をの傾動角θを、支持部材１５を後方に押し込んだ図６（ａ）の状態よりもさらに大きく取ることができる。
【００３７】
（実施の形態７）
図７（ａ）は本発明の実施の形態７における端末装置の概略平面図、図７（ｂ）はその概略側面図であり、実施の形態１とは、筐体１の内部最上部に印字ユニット１１が配置されていることは同じであるが、主回路ユニット６、補助記憶ユニット７、電源ユニット８等の配置位置が異なっている。このように、本実施の形態７によれば、筐体１の内部最上部に印字ユニット１１を配置する以外は、他のユニットを自由にレイアウトすることができる。
【００３８】
（実施の形態８）
図８（ａ）は本発明の実施の形態８における端末装置の概略斜視図、図８（ｂ）はそのスキャナホルダー部の拡大断面図であり、上記各実施の形態において、樹脂成形品である筐体１の側面には、ペン型スキャナー１６を保持するためのスキャナホルダー１７が一体に形成されている。スキャナホルダー１７は、図８（ｂ）に示すように、底部１７ａが開放された漏斗状に形成されている。このように、本実施の形態８によれば、筐体１の側面にスキャナホルダー１７を一体に設け、その底部１７ａを開放したので、ペン型スキャナー１６の先端部分がホルダー１７に接触しないので、ペン型スキャナー１６の先端への傷や汚れを防止することができる。
【００３９】
（実施の形態９）
図９は本発明の実施の形態９における端末装置の概略斜視図であり、上記各実施の形態において、樹脂成形品である筐体１の上面には、筐体内最上部に配置された印字ユニットを開放するためのアッパーカバー１８が着脱可能に設けられている。アッパーカバー１８は、図１０（ａ）に示すように、前端部に係止爪１８ａを有し、さらに図１０（ｂ）に示すように、両側部も係止爪１８ｂ、１８ｃを有し、筐体１と同様な樹脂材料により成形されている。このアッパーカバー１８を筐体１に取り付ける場合には、前端部の係止爪１８ａをフロントカバーの縁部に係止させて、両側部の係止爪１８ｂ、１８ｃを内側に撓ませながら後部を押し下げ、樹脂材料の弾性により、係止爪１８ｂ、１８ｃを筐体１の開口部１９の両側縁部に係合させる。アッパーカバー１８を取り外す場合には、アッパーカバー１８の後部を引き上げることにより、アッパーカバー１８を容易に取り外すことができ、開口部１９に露出する印字ユニットの印字リボンの交換やその他のメンテナンスを行うことができる。
【００４０】
（実施の形態１０）
図１１（ｂ）は本発明の実施の形態１０における端末装置の概略側面図であり、上記各実施の形態において、樹脂成形品である筐体１の背面には、筐体内最上部に配置された印字ユニット１１の用紙を交換するために、リアーカバー２０が開閉可能に設けられている。リアーカバー２０は、筐体１と同様な樹脂材料により成形され、その下部がヒンジ２１を介して筐体に取り付けられ、筐体１の背面の開口部２２を開閉可能になっている。開口部２２の内側には、印字用紙１０を収容する用紙コンテナー２３が、ガイドレール２４の上を前後方向に摺動可能に設けられている。用紙コンテナー２３の後部には、ガイド穴２５が縦方向に形成され、このガイド穴２５に、リアーカバー２０に設けられたガイドピン２６が係合している。したがって、リアーカバー２０をヒンジ２１を介して開くと、ガイドピン２６がガイド穴２５に案内されながら、下方に下がるので、図１１（ｂ）のように、用紙コンテナー２３が後方に押し出され、内部の印字用紙１０の交換、補給等を容易に行うことができる。
【００４１】
（実施の形態１１）
図１２（ａ）は本発明の実施の形態１１における端末装置の概略側面断面図であり、図１２（ｂ）は本発明の実施の形態１１における端末装置の概略背面断面図である。本実施の形態１１においては、樹脂成形品である筐体１の両側板３１、３２に、筐体１内部に下から上に順に配置された補助記憶ユニット７、主回路ユニット６、電源ユニット８、印字ユニット１１の各部ユニットを支持するユニット支持板３３を摺動可能に案内するガイド溝３４、３５が形成されている。そして、筐体１のリアーカバー３７が、両側板３１、３２に対して着脱可能に取り付けられている。また、フロントカバー３６およびリヤーカバー３７には、それぞれ各部ユニットの位置決めのためのストッパー３８、３９が形成されている。したがって、本実施の形態１１によれば、リヤーカバー３７を取り外して、補助記憶ユニット７、主回路ユニット６、電源ユニット８、印字ユニット１１の各部ユニットをユニット支持板３３ごと出し入れすることにより、各部ユニットの筐体１に対する組み付け、取り出しを容易に行うことができ、組立性やメンテナンス性を向上させることができる。
【００４２】
（実施の形態１２）
図１３（ａ）は本発明の実施の形態１２における端末装置の嵌め込み構造の概略断面図であり、図１３（ｂ）は本発明の実施の形態１２における端末装置の両側板と底板の分解斜視図である。本実施の形態１２においては、樹脂成形品である筐体１の左右の両側板４１、４２の下部に、底板４３に対し着脱可能に取り付けるためのボス４４が形成され、同様に樹脂成形品である底板４３には、ボス４４に嵌合する嵌合穴４５が形成されている。嵌合穴４５は、底板４３の周囲に形成された外側リム４６と内側リム４７のうちの内側リム４７に形成され、嵌合穴４５を設けた部分の両側にはスリット４７ａが形成されて弾性的に撓みやすくなっている。また、側板４１の下部は、全体的に内側に凹んで、底板４２の外側リム４６と内側リム４７との間に入り込み、側板４１の上部が外側リム４６と同一面を構成するようになっている。さらに、ボス４４の上部には、こじ開け穴４８が形成され、このこじ開け穴４８に対向する底板４３の外側リム４６の部分には切り欠き穴４９が形成されている。右の側板４２も同様な構成になっている。したがって、本実施の形態１２によれば、左右の両側板４１、４２を底板４３の外側リム４６と内側リム４７との間に挿入して、ボス４４を嵌合穴４５に嵌合させるだけで、両側板４１、４２と底板４３の組み立てることができる。また、図１３（ａ）の状態で、切り欠き穴４９からこじ開け穴４８にドライバーの先端を差し入れて、こじ上げることにより、嵌合穴４５を設けた部分が内側に撓んでボス４４が嵌合穴４５から外れ、両側板４１、４２を底板４３から取り外すことができ、組立性やメンテナンス性を向上させることができる。なお、本実施の形態１２における嵌め込み構造は、天板またはフロントカバーを底板４３と同様な構成とし、両側板４１、４２に同様なボスを設けることにより、底板４３以外の取り付けに適用することもできる。
【００４３】
（実施の形態１３）
図１４（ａ）は本発明の実施の形態１３における端末装置の概略平面図であり、図１４（ｂ）は本発明の実施の形態１３における端末装置の概略側面図である。本実施の形態１３においては、樹脂成形品である筐体１の背面部に、主回路ユニット６およびコネクタ接続部を備えたリヤーカバー５１が、一端部をヒンジ５２を介して水平方向に開閉可能に設けられている。これにより、主回路ユニット６のメンテナンスを行う場合は、リヤーカバー５１を開いて主回路ユニット６を外側に出して、コネクタ接続部にコネクタを接続することにより、主回路ユニット６の動作を検査することができる。
【００４４】
（実施の形態１４）
図１５は本発明の実施の形態１４における端末装置の概略分解斜視図であり、樹脂成形品である筐体１の天板１Ａに、筐体内最上部に配置された印字ユニットを開放するための図１０に示したのと同様なアッパーカバー１８が着脱可能に設けられており、また、筐体１の背面板１Ｂには、印字ユニットの用紙収容部を開放するためのリヤーカバー６１が開閉可能に設けられている。両側板１Ｃと天板１Ａ、フロントカバー２、底板１Ｄとの組み立ては、図１３に示した実施の形態１２による構造を採用している。リヤーカバー６１の両側部には、背面板１Ｂに形成された嵌合穴６２に嵌合する回転軸６３を備えたスカート部６４が形成されている。スカート部６４の回転軸６３を設けた部分の両側にはスリット６４ａが形成されて弾性的に撓みやすくなっている。したがって、図１６（ａ）に示すように、この両方のスカート部６４の回転軸６３の近傍に、内側方向に押圧力Ｆを加えて両方の回転軸６３を内側に倒し、図１６（ｂ）に示すように、背面板１Ｂの嵌合穴６２に挿入して押圧力Ｆを開放することにより、リヤーカバー６１を背面板１Ｂに容易に取り付けることができる。また、リヤーカバー６１を取り外すときは、リヤーカバー６１を水平位置に開いて、同様にスカート部６４に内側方向に押圧力Ｆを加えることにより、回転軸６３を嵌合穴６２から容易に取り外すことができる。
【００４５】
（実施の形態１５）
図１７（ａ）は本発明の実施の形態１５における端末装置の概略平面図であり、図１７（ｂ）はその旋回機構部の拡大図、図１７（ｃ）は本発明の実施の形態１５における端末装置の概略側面図である。本実施の形態１５においては、入力・表示部であるタッチパネル付き液晶表示部５をフロントカバー２に傾動可能に保持する構成が、フロントカバー２の前面に設けられた半円状のガイドリング７１と、液晶表示部５の裏面に設けられてガイドリング７１に摺動可能かつ回動可能に摩擦的に嵌合するリングアーム７２とからなる。ガイドリング７１およびリングアーム７２は、ともに内部の硬質樹脂の周囲にエラスティック樹脂を被覆した断面円形の構造を有し、ガイドリング７１にリングアーム７２を嵌め込んで、ガイドリング７１の両端部をフロントカバー２の裏面から固定する。両アーム７１、７２の外側のエラスティック樹脂は、摩擦係数が比較的大きいので、リングアーム７２をガイドリング７１の軸方向に摺動させるとともに、ガイドリング７１に対して回動させることにより、どの位置およびどの回転角度でもその状態を保持することができ、液晶表示部５を操作者にとって最適な位置および角度に調整することができる。
【００４６】
（実施の形態１６）
図１８（ａ）は本発明の実施の形態１６における端末装置の概略平面図であり、図１８（ｂ）は本発明の実施の形態１６における端末装置の概略側面図である。本実施の形態１６においては、タッチパネル付き液晶表示部５の上側への傾動動作と装置本体の筐体１内の底部に収容された補助記憶ユニット７の前方への移動動作とを連動する連動機構を備えている。補助記憶ユニット７のフロッピーディスクドライバには、フロッピーディスクを出し入れするためのディスク挿入口が、筐体１の前面（正確にはフロントカバーの前面）に設ける場合があり、そのような場合には、ディスク挿入口が液晶表示部５の裏に隠れて見えないばがりでなく、フロッピーディスクを出し入れすることができない。そこで、本実施の形態１６では、ディスクを出し入れする際には、液晶表示部５を上側へ傾動させることにより、補助記憶ユニット７が自動的に前方に押し出されて、ディスクの交換ができるようにしたものである。
【００４７】
図１８において、補助記憶ユニット７には、ラック８１が水平に固定され、このラック８１にピニオン／ギヤ８２のピニオンが噛み合っており、そのギヤには歯付きベルトであるコグベルト８３が、アイドルギヤ８４を介して傾動ギヤ８５との間に掛け渡されている。傾動ギヤ８５は、液晶表示部５の支持駒８６を筐体１に対して上下方向に回動可能に支持する水平軸８７に固定され、支持駒８６は垂直軸８８を介して液晶表示部５に左右方向に回動可能に支持されている。したがって、液晶表示部５は、筐体１に対して上下左右方向に３６０度角度調整可能であり、しかも液晶表示部５を上側へ大きく傾けると、コグベルト８３を介してピニオン／ギヤ８２が回転してラック８１を前方に押し出すので、補助記憶ユニット７が筐体の前方に押し出され、ディスクの交換ができるようになる。
【００４８】
このように、本実施の形態１６によれば、液晶表示部５の上側への傾動動作と装置本体の筐体１内の底部に収容された補助記憶ユニット７の前方への移動動作とを連動する連動機構を備えているので、補助記憶ユニット７のディスク挿入口を前方に設けた場合でも、ディスクの交換を容易に行うことができる。なお、ピニオン／ギヤ８２の回転軸にモータを連結してモータの回転力により、補助記憶ユニット７の前方への移動と液晶表示部５の上側の傾動とを行うようにしてもよい。
【００４９】
（実施の形態１７）
図１９は本発明の実施の形態１７に係る従来の印字ユニットの構成を示す概略平面図である。従来においては、図２９の従来例において説明したように、印字ユニット１０８は、前方から後方へインクリボン１１３、印字ヘッド１１２、印字プラテン１１１が順番に配置されているため、奥行寸法が長くなり、その分だけ印字済みの印字用紙１１０を排出するための排出口１０４の位置が操作者の座る位置から遠くなり、印字用紙１１０を取り出す動作が面倒になるという問題があった。そこで、本発明の実施の形態１７以降は、印字用紙の排出口をできるだけ前方に持ってくることにより、操作性を向上させるようにしたものである。
【００５０】
図２０は本発明の実施の形態１７における端末装置の印字ユニットの構成を示す概略平面図であり、端末装置全体の構成は、上記各実施の形態に示したものと同様であり、筐体内の上部に印字ユニット１１が配置されている。印字ユニット１１は、手前側に印字ヘッド１２が配置され、その奥側に印字プラテン１３が配置され、これら印字ヘッド１２および印字プラテン１３の左側に、インクリボン９１を保持したリボンホルダー９２が配置されている。この構成により、印字済みの印字用紙１０を排出する印字用紙排出口１４の位置を筐体の前方位置に近づけることができるので、排出口１４から印字済みの印字用紙を取り出す作業が容易になる。
【００５１】
（実施の形態１８）
図２１は本発明の実施の形態１８に係る従来の印字ユニットの構成を示す概略平面図である。従来においては、図２９の従来例において説明したように、印字ユニット１０８は、前方から後方へインクリボン１１３を収容したリボンカセット１１４、印字ヘッド１１２、印字プラテン１１１が順番に配置されているため、奥行寸法が長くなり、その分だけ印字済みの印字用紙１１０を排出するための排出口１０４の位置が操作者の座る位置から遠くなり、印字用紙１１０を取り出す動作が面倒になるという問題があった。そこで、本実施の形態１８は、印字用紙の排出口をできるだけ前方に持ってくることにより、操作性を向上させるようにしたものである。
【００５２】
図２２は本発明の実施の形態１８における端末装置の印字ユニットの構成を示す概略平面図であり、端末装置全体の構成は、上記各実施の形態に示したものと同様であり、筐体内の上部に印字ユニット１１が配置されている。印字ユニット１１は、手前側に印字ヘッド１２が配置され、その奥側に印字プラテン１３が配置され、これら印字ヘッド１２および印字プラテン１３の左側に、インクリボン９１をエンドレスに詰め込むようにして収容したリボンカセット９３が配置されている。この構成により、印字済みの印字用紙１０を排出する印字用紙排出口１４の位置を筐体の前方位置に近づけることができるので、排出口１４から印字済みの印字用紙を取り出す作業が容易になる。
【００５３】
（実施の形態１９）
図２３は本発明の実施の形態１９における印字ユニット１１の構成を示す斜視図であり、端末装置全体の構成は、上記各実施の形態に示したものと同様であり、筐体内の上部に印字ユニット１１が配置されている。印字ユニット１１は、手前側に印字ヘッド１２が配置され、その奥側に印字プラテン１３が配置され、これら印字ヘッド１２および印字プラテン１３の左側に、図２２のリボンカセット９３（または図２０のリボンホルダー９２）が配置されている。この構成により、印字済みの印字用紙１０を排出する印字用紙排出口１４の位置を筐体の前方位置に近づけることができるので、排出口１４から印字済みの印字用紙を取り出す作業が容易になる。また、インクリボン９１の印字ヘッド１２からのリターン部９１ａを印字ヘッド１２の筐体前方側に配置したので、印字ユニット１１をコンパクトに構成することができる。
【００５４】
（実施の形態２０）
図２４は上記実施の形態１９に示した印字ユニット１１において、インクリボン９１のリターン部９１ａを案内するリターンガイド部９４ａを一体に備えたリボンカセット９４を示している。この構成により、リボンカセット９４をセットする際に、インクリボン９１を引き回す必要がなくなり、リボンカセット９４を簡単にセットすることができる。
【００５５】
（実施の形態２１）
図２５は本発明の実施の形態２１における印字ユニット１１の構成を示す斜視図であり、端末装置全体の構成は、上記各実施の形態に示したものと同様であり、筐体内の上部に印字ユニット１１が配置されている。印字ユニット１１は、手前側に印字ヘッド１２が配置され、その奥側に印字プラテン１３が配置され、これら印字ヘッド１２および印字プラテン１３の左側に、図２２のリボンカセット９３（または図２０のリボンホルダー９２）が配置されている。この構成により、印字済みの印字用紙１０を排出する印字用紙排出口の位置を筐体の前方位置に近づけることができるので、排出口から印字済みの印字用紙を取り出す作業が容易になる。また、インクリボン９１の印字ヘッド１２からのリターン部９１ａを印字ヘッド１２の上方に配置したので、印字ユニット１１をコンパクトに構成することができる。
【００５６】
（実施の形態２２）
図２６は上記実施の形態２１に示した印字ユニット１１において、インクリボン９１のリターン部９１ａを案内するリターンガイド部９５ａを一体に備えたリボンカセット９５を示している。この構成により、リボンカセット９５をセットする際に、インクリボン９１を引き回す必要がなくなり、リボンカセット９５を簡単にセットすることができる。
【００５７】
（実施の形態２３）
図２７は本発明の実施の形態２３における端末装置の印字ユニットの構成を示す概略平面図であり、端末装置全体の構成は、上記各実施の形態に示したものと同様であり、筐体内の上部に印字ユニット１１が配置されている。印字ユニット１１は、手前側に印字ヘッド１２が配置され、その奥側に印字プラテン１３が配置され、さらにその奥側にインクリボン９１を保持したリボンホルダー９６が配置されている。この構成により、印字済みの印字用紙１０を排出する印字用紙排出口の位置を筐体の前方位置に近づけることができるので、排出口から印字済みの印字用紙を取り出す作業が容易になる。
【００５８】
（実施の形態２４）
図２８は本発明の実施の形態２４における端末装置の印字ユニットの構成を示す概略平面図であり、端末装置全体の構成は、上記各実施の形態に示したものと同様であり、筐体内の上部に印字ユニット１１が配置されている。印字ユニット１１は、手前側に印字ヘッド１２が配置され、その奥側に印字プラテン１３が配置され、さらにその奥側にインクリボン９１をエンドレスに詰め込むようにして収容したリボンカセット９７が配置されている。この構成により、印字済みの印字用紙１０を排出する印字用紙排出口の位置を筐体の前方位置に近づけることができるので、排出口から印字済みの印字用紙を取り出す作業が容易になる。
【００５９】
【発明の効果】
以上説明したように、本発明による端末装置は、タッチパネル付きの液晶表示部をフロントカバーを介して装置本体の筐体に角度調整可能に設け、さらに筐体とフロントカバーの上部に、斜め後方にセットバック部を設けることにより、液晶表示部の調整角度を大きくとることができ、操作性が向上する。また、筐体を構成する前面板、側板、背面板、天板、底板等を嵌め込み構造とすることにより、組立分解性およびメンテナンス性がよくなる。また、筐体内の最上部に印字ユニットを配置して、インクリボン供給機構を側方に配置することで印字用紙排出口を筐体の前方側に近づけることができ、装置の奥行寸法を短くして設置面積を小さくできるとともに、印字用紙の取り出しを容易にすることができ、さらにコストも低減することができる。
【図面の簡単な説明】
【図１】（ａ）本発明の実施の形態１における端末装置の概略側面図
（ｂ）本発明の実施の形態１における端末装置の概略側面図
【図２】本発明の実施の形態２における端末装置の概略側面図
【図３】（ａ）本発明の実施の形態３における端末装置の概略平面図
（ｂ）本発明の実施の形態３における端末装置の概略側面図
【図４】（ａ）本発明の実施の形態４における端末装置の概略平面図
（ｂ）本発明の実施の形態４における端末装置の概略側面図
【図５】（ａ）本発明の実施の形態５における端末装置の概略分解側面図
（ｂ）本発明の実施の形態５における端末装置の概略組立側面図
【図６】（ａ）本発明の実施の形態６における端末装置の概略側面図
（ｂ）本発明の実施の形態６における端末装置の概略側面図
【図７】（ａ）本発明の実施の形態７における端末装置の概略平面図
（ｂ）本発明の実施の形態７における端末装置の概略側面図
【図８】（ａ）本発明の実施の形態８における端末装置の概略斜視図
（ｂ）本発明の実施の形態８における端末装置の部分拡大断面図
【図９】本発明の実施の形態９における端末装置の概略斜視図
【図１０】（ａ）図９のＡ−Ａ’断面図
（ｂ）図９のＢ−Ｂ’断面図
【図１１】（ａ）本発明の実施の形態１０における端末装置の概略側面図
（ｂ）本発明の実施の形態１０における端末装置の概略側面図
【図１２】（ａ）本発明の実施の形態１１における端末装置の概略側面断面図
（ｂ）本発明の実施の形態１１における端末装置の概略背面断面図
【図１３】（ａ）本発明の実施の形態１２における端末装置の部分拡大断面図
（ｂ）本発明の実施の形態１２における端末装置の概略部分組立分解図
【図１４】（ａ）本発明の実施の形態１３における端末装置の概略平面図
（ｂ）本発明の実施の形態１３における端末装置の概略側面図
【図１５】本発明の実施の形態１４における端末装置の概略分解斜視図
【図１６】（ａ）本発明の実施の形態１４におけるリヤーカバーの断面図
（ｂ）本発明の実施の形態１４におけるリヤーカバーの組立断面図
【図１７】（ａ）本発明の実施の形態１５における端末装置の概略平面図
（ｃ）本発明の実施の形態１５における部分拡大斜視図
（ｂ）本発明の実施の形態１５における端末装置の概略側面図
【図１８】（ａ）本発明の実施の形態１６における端末装置の概略平面図
（ｂ）本発明の実施の形態１６における端末装置の概略側面図
【図１９】（ａ）本発明の実施の形態１７に係る従来の印字ユニットの概略平面図
（ｂ）本発明の実施の形態１７に係る従来の印字ユニットの概略側面図
【図２０】（ａ）本発明の実施の形態１７における印字ユニットの概略平面図
（ｂ）本発明の実施の形態１７における印字ユニットの概略側面図
【図２１】（ａ）本発明の実施の形態１８に係る従来の印字ユニットの概略平面図
（ｂ）本発明の実施の形態１８に係る従来の印字ユニットの概略側面図
【図２２】（ａ）本発明の実施の形態１８における印字ユニットの概略平面図
（ｂ）本発明の実施の形態１８における印字ユニットの概略側面図
【図２３】本発明の実施の形態１９における印字ユニットの概略斜視図
【図２４】本発明の実施の形態２０におけるリボンカセットの概略斜視図
【図２５】本発明の実施の形態２１における印字ユニットの概略斜視図
【図２６】本発明の実施の形態２２におけるリボンカセットの概略斜視図
【図２７】本発明の実施の形態２３における印字ユニットの概略平面図
【図２８】本発明の実施の形態２４における印字ユニットの概略平面図
【図２９】（ａ）従来例における端末装置の概略斜視図
（ｂ）従来例における端末装置の概略側面図
【符号の説明】
１  装置本体の筐体
２  フロントカバー
３  セットバック部
４  ヒンジ
５  タッチパネル付き液晶表示装置
６  主回路ユニット
７  補助記憶ユニット
８  電源ユニット
９  トレイ
１０  印字用紙
１２  印字ヘッド
１３  印字プラテン
１４  印字用紙排出口
１５  支持部材
１６  ペン型スキャナー
１７  スキャナーホルダー
１８  アッパーカバー
１９  開口部
２０  リヤーカバー
２１  ヒンジ
２２  開口部
２３  用紙コンテナー
２４  ガイドレール
２５  ガイド穴
２６  ガイドピン
３１、３２  側板
３３  ユニット支持板
３４、３５  ガイド溝
３６  フロントカバー
３７  リヤーカバー
３８、３９  ストッパー
４１、４２  側板
４３  底板
４４  ボス
４５  嵌合穴
４６  外側リム
４７  内側リム
４８  こじ開け穴
４９  切り欠き穴
５１  リヤーカバー
５２  ヒンジ
６１  リヤーカバー
６２  嵌合穴
６３  回転軸
６４  スカート部
７１  ガイドリング
７２  リングアーム
８１  ラック
８２  ピニオン／ギヤ
８３  コグベルト
８４  アイドルギヤ
８５  傾動ギヤ
８６  支持駒
８７  水平軸
８８  垂直軸
９１  インクリボン
９２、９６  リボンホルダー
９３、９４、９５、９７  リボンカセット
【図１】
0004588160.tif 000002
【図２】
0004588160.tif 000003
【図３】
0004588160.tif 000004
【図４】
0004588160.tif 000005
【図５】
0004588160.tif 000006
【図６】
0004588160.tif 000007
【図７】
0004588160.tif 000008
【図８】
0004588160.tif 000009
【図９】
0004588160.tif 000010
【図１０】
0004588160.tif 000011
【図１１】
0004588160.tif 000012
【図１２】
0004588160.tif 000013
【図１３】
0004588160.tif 000014
【図１４】
0004588160.tif 000015
【図１５】
0004588160.tif 000016
【図１６】
0004588160.tif 000017
【図１７】
0004588160.tif 000018
【図１８】
0004588160.tif 000019
【図１９】
0004588160.tif 000020
【図２０】
0004588160.tif 000021
【図２１】
0004588160.tif 000022
【図２２】
0004588160.tif 000023
【図２３】
0004588160.tif 000024
【図２４】
0004588160.tif 000025
【図２５】
0004588160.tif 000026
【図２６】
0004588160.tif 000027
【図２７】
0004588160.tif 000028
【図２８】
0004588160.tif 000029
【図２９】
0004588160.tif 000030